(57)【要約】【課題】１つの無線制御装置に複数の無線装置が接続されると、その数が増えるにつれて無線制御装置における無線装置との通信が輻輳するおそれが高くなる。また、無線装置にＣＰＵを搭載して無線制御装置のＣＰＵとソフトウェアで通信を行うと、通信に時間がかかり、無線装置の回路構成が複雑化するという問題があった。【解決手段】無線制御装置（２１０）と複数の無線装置（２５０）とを所定のインターフェース（ＣＰＲＩ）を用いたリンクで接続した無線基地局（２００）において、無線制御装置（２１０）は、無線装置（２５０）に対する制御情報と、付随するアドレス情報とをフレーム内のベンダー特有領域を介して送信する。また、無線装置（２５０）は、制御情報とアドレス情報とを、受信したフレームのベンダー特有領域から読み出して、アドレス情報に対応する記憶領域に直接的に書き込む。【選択図】図２
2010130162.tif 000002
【特許請求の範囲】
【請求項１】
無線制御装置と複数の無線装置とを所定のインターフェースを用いたリンクで接続した無線基地局において、
前記無線制御装置は、前記無線装置に対する制御情報と、付随するアドレス情報とをフレーム内のベンダー特有領域を介して送信し、
前記無線装置は、前記制御情報とアドレス情報とを、受信した前記フレームの前記ベンダー特有領域から読み出して、前記アドレス情報に対応する記憶領域に書き込む無線基地局。
【請求項２】
前記所定のインターフェースは、コモン・パブリック・ラジオ・インターフェースであることを特徴とする請求項１記載の無線制御装置。
【請求項３】
前記無線制御装置は、制御部と制御情報送受信部とを有し、
前記制御部はメモリマップドＩ／Ｏ方式で前記制御情報送受信部に前記制御情報と前記アドレス情報とを供給する、請求項１または２に記載の無線基地局。
【請求項４】
前記無線制御装置は、前記メモリマップドＩ／Ｏ方式のメモリ空間にページング領域を有し、前記ページング領域の値に対応する無線装置に前記フレームを送信する、請求項３に記載の無線基地局。
【請求項５】
無線制御装置が、所定のインターフェースを用いたリンクで接続された複数の無線装置を制御する制御方法であって、
前記無線制御装置が、前記無線装置に対する制御情報と、付随するアドレス情報とをフレーム内のベンダー特有領域を介して送信する段階と、
前記無線装置が、前記制御情報とアドレス情報とを、受信した前記フレームの前記ベンダー特有領域から読み出して、前記アドレス情報に対応する記憶領域に直接的に書き込む段階とを含む制御方法。
【発明の詳細な説明】
【技術分野】
【０００１】
本発明は無線基地局及び無線装置制御方法に関する。
【背景技術】
【０００２】
無線基地局において、無線制御装置（ＲＥＣ）と無線装置（ＲＥ）との標準的なインターフェースとしてコモン・パブリック・ラジオ・インターフェース（ＣＰＲＩ、Common Public Radio Interface）が利用されている。ＣＰＲＩの利用により、異なるベンダーが提供する装置間の接続性が確保できる。また、ＣＰＲＩトラフィックをファイバリンクを介して伝送することにより、無線制御装置と無線装置とを分散配置できるようになる。
【０００３】
図１は従来の基地局装置１００を示すブロック図である。図１に示した基地局装置１００において、無線制御装置（ＲＥＣ）１１０と、複数の無線装置（ＲＥ＃０〜ＲＥ＃ｎ）１５０とは、ＣＰＲＩを用いて制御データやユーザデータを通信している。この通信は、無線制御装置（ＲＥＣ）１１０のＣＰＵ１１１上で動作するソフトウェアと、無線装置（ＲＥ＃０〜ＲＥ＃ｎ）１５０のＣＰＵ１５１上で動作するソフトウェアとの間で、それぞれに設けられたＲＥ−ＲＥ通信制御部１１２、１５２を介して、ＬＡＰＢ（Link Access Procedure, Balanced）等のプロトコルを用いて行われている。無線制御装置（ＲＥＣ）１１０は各無線装置（ＲＥ＃０〜ＲＥ＃ｎ）１５０と個別に通信をしている。
【０００４】
なお、ＣＰＵによるメモリ等へのアクセスに関してページング構成のメモリマップドＩ／Ｏ方式が提案されている。
【特許文献１】特開昭６１−２０８１５２号公報
【特許文献２】特開平９−２２３１００号公報
【特許文献３】特開２００３−６７３５０号公報
【発明の開示】
【発明が解決しようとする課題】
【０００５】
しかし、１つの無線制御装置に複数の無線装置が接続されると、その数が増えるにつれて無線制御装置における無線装置との通信が輻輳するおそれが高くなる。また、無線装置にＣＰＵを搭載して無線制御装置のＣＰＵとソフトウェアで通信を行うと、通信に時間がかかり、無線装置の回路構成が複雑化するという問題があった。
【課題を解決するための手段】
【０００６】
一実施形態による、無線制御装置と複数の無線装置とを所定のインターフェースを用いたリンクで接続した無線基地局は、前記無線制御装置は、前記無線装置に対する制御情報と、付随するアドレス情報とをフレーム内のベンダー特有領域を介して送信し、前記無線装置は、前記制御情報とアドレス情報とを、受信した前記フレームの前記ベンダー特有領域から読み出して、前記アドレス情報に対応する記憶領域に直接的に書き込む。
【０００７】
他の実施形態による、無線制御装置が、所定のインターフェースを用いたリンクで接続された複数の無線装置を制御する制御方法は、前記無線制御装置が、前記無線装置に対する制御情報と、付随するアドレス情報とをフレーム内のベンダー特有領域を介して送信する段階と、前記無線装置が、前記制御情報とアドレス情報とを、受信した前記フレームの前記ベンダー特有領域から読み出して、前記アドレス情報に対応する記憶領域に直接的に書き込む段階とを含む。
【発明の効果】
【０００８】
無線制御装置と無線装置との通信の輻輳を回避することができる。また、無線装置にＣＰＵを搭載してハンドシェーク方式で通信を行う必要がないので、通信速度が速くなり、無線装置の回路構成も簡略化できる。
【発明を実施するための最良の形態】
【０００９】
図面を参照して本発明の実施形態を詳細に説明する。図面を通して同一または対応する構成要素にはそれぞれ同一または対応する参照符号を付した。
【００１０】
図２は、一実施形態による基地局装置２００を示すブロック図である。図２に示した基地局装置２００において、無線制御装置（ＲＥＣ）２１０と、複数の無線装置（ＲＥ＃０〜ＲＥ＃ｎ）２５０とがコモン・パブリック・ラジオ・インターフェース（ＣＰＲＩ）により接続されている。
【００１１】
無線制御装置（ＲＥＣ）２１０は、ＣＰＵ及びメモリ２１１、ＲＥＣ制御情報送受信部２１２、複数のＣＰＲＩ送信インターフェース２１３Ｄ、複数のＣＰＲＩ受信インターフェース２１３Ｕ、制御データ処理部２１４、ユーザデータ処理部２１５、その他デバイス２１６を有する。これらは図２に示したように、ＣＰＵバス２２０などを介して相互に接続されている。一組のＣＰＲＩ送信インターフェース２１３ＤとＣＰＲＩ受信インターフェース２１３Ｕは、各無線装置（ＲＥ＃０〜ＲＥ＃ｎ）２５０に対応している。
【００１２】
制御データ処理部２１４とユーザデータ処理部２１５は、無線ネットワーク制御装置（ＲＮＣ、図示せず）との間で送受信する制御データとユーザデータをそれぞれ処理する。その他デバイス２１６は、例えばＣＰＵ２１１の制御プログラムを格納したメモリや、ＡＴＭ通信用デバイスなどが含まれる。
【００１３】
無線装置（ＲＥ＃０〜ＲＥ＃ｎ）２５０は、それぞれ、ＲＥ制御情報送受信部２５２、ＣＰＲＩ受信インターフェース２５３Ｄ、ＣＰＲＩ送信インターフェース２５３Ｕ、その他デバイス２５６、アンプインターフェース２５７を有する。これらは図２に示したように、バス２６０などを介して相互に接続されている。
【００１４】
各無線装置（ＲＥ＃０〜ＲＥ＃ｎ）２５０のアンプインターフェース２５７には、対応する増幅装置（ＡＭＰ）２７０とアンテナ（ＡＮＴ）２８０が接続されている。
【００１５】
その他デバイス２５６は、例えば、増幅装置（ＡＭＰ）２７０から出力された送信信号をモニターして制御するための回路を含むＦＰＧＡやＰＬＤ等のデバイスであり、そのための制御データを格納し、またはモニターした送信信号のパラメータ等を格納するレジスタを含んでいる。
【００１６】
ここで、本実施形態による無線基地局２００は、無線制御装置（ＲＥＣ）２１０と複数の無線装置（ＲＥ＃０〜ＲＥ＃ｎ）２５０とをコモン・パブリック・ラジオ・インターフェース（ＣＰＲＩ）を用いたＣＰＲＩリンクで接続されている。無線制御装置２１０は、無線装置２５０に対する制御情報と、それに付随するアドレス情報とを、ＣＰＲＩフレーム内のベンダー特有領域（Vendor Specific）を介して送信する。また、無線装置２５０は、制御情報とアドレス情報とを、受信したＣＰＲＩフレームのベンダー特有領域から読み出して、アドレス情報に対応する記憶領域（レジスタ）に直接的に（すなわち、ＣＰＵ上で動作するソフトウェアによる制御を受けずに）書き込む。
【００１７】
これにより、本実施形態による無線基地局２００では、無線制御装置２１０のＣＰＵ２１１が、無線装置２５０のデバイス２５６のレジスタに、あたかもそのデバイス２５６がＣＰＵ２１１のＣＰＵバス２２０に接続されているようにアクセスして、ライトデータを書き込んだり、リードデータを読み出したりすることができる。
【００１８】
図３Ａは、無線制御装置においてメモリ空間に展開された無線装置のレジスタ領域を示すメモリ構成図である。  無線制御装置のメモリ空間に、ＲＥＣ制御情報送受信部のメモリ空間を配置する。無線制御装置（ＲＥＣ）２１０は、ＣＰＵバス２２０に直結したＲＥＣ制御情報送受信部２１２を有する。無線制御装置（ＲＥＣ）２１０の4ギガバイトのメモリ空間３１０（００００００００ｈ〜ＦＦＦＦＦＦＦＦｈ）には、ＲＥＣ制御情報送受信部２１２に割り当てられた１６メガバイトのメモリ空間（ｘｘ００００００ｈ〜ｘｘＦＦＦＦＦＦｈ）３２０がある。ここに無線装置（ＲＥ）のレジスタ領域３２１を展開する。レジスタ領域３２１には、無線装置のレジスタがそのままマッピングされる。また、多数の無線装置（ＲＥ）が接続されている場合、その個数分のレジスタ領域をそのまま無線制御装置（ＲＥＣ）２１０のメモリ空間３１０に展開すると、ＲＥＣ側のメモリ空間が枯渇する可能性がある。そこで、別途ページング用レジスタ３２２を設け、そのページング用レジスタ３２２を使用して、各無線装置（ＲＥ）を識別する。これにより、多数の無線装置（ＲＥ）があっても、無線制御装置（ＲＥＣ）のメモリ空間３１０に確保する無線装置（ＲＥ）のレジスタ領域３２１は一つあればよい。なお、ＲＥＣ制御情報送受信部のメモリ空間３２０のうち、無線装置（ＲＥ）のレジスタ領域３２１と、ページング用レジスタ３２２として使用されない部分は空き領域３２３としている。
【００１９】
このように、無線制御装置２１０は、制御部（ＣＰＵ２１１）と制御情報送受信部（ＲＥＣ制御情報送受信部２１２）とを有し、制御部（ＣＰＵ２１１）は、図３Ａに示したように、メモリマップドＩ／Ｏ方式で制御情報送受信部（ＲＥＣ制御情報送受信部２１２）に制御情報とアドレス情報とを供給する。
【００２０】
図３Ｂは、図３Ａのページング用レジスタ３２２のビット構成を示す図である。ページング用レジスタ３２２は、０〜１５ビットが無線装置（ＲＥ）の識別値であるページング値３５１であり、１６〜３１ビットが空き（don’t care）３５２となっている。
【００２１】
ページング用レジスタ３２２のページング値３５１と各無線装置（ＲＥ）との関係を図４Ａに示した。例えば、ページング値３５１が００００ｈである場合、無線装置ＲＥ＃０が選択される。ページング値３５１が０００１ｈである場合、無線装置ＲＥ＃１が選択される。ページング値３５１が０００２ｈである場合、無線装置ＲＥ＃２が選択される。以下同様に、ページング値３５１がｎである場合、無線装置ＲＥ＃ｎが選択される。
【００２２】
このように、無線制御装置２１０は、メモリマップドＩ／Ｏ方式のメモリ空間にページング領域（アドレスｘｘＦＦＦＦＦ０ｈ）を有し、このページング領域の値（例えば、００００ｈ）に対応する無線装置（ＲＥ＃０）にＣＰＲＩフレームを送信することができる。
【００２３】
また、図４Ｂに示したように、ページング値３５１がＦＦＦＦｈである場合、すべての無線装置ＲＥ＃０〜ＲＥ＃ｎが指定されるブロードキャストとなる。
【００２４】
このように、無線制御装置２１０は、ページング領域（アドレスｘｘＦＦＦＦＦ０ｈ）の所定の値（値ＦＦＦＦｈ）に応じて、接続されているすべての無線装置（ＲＥ＃０〜ＲＥ＃ｎ）にＣＰＲＩフレームを送信することができる。
【００２５】
ＣＰＵ２１１によりこのＲＥＣ制御情報送受信部２１２のメモリ空間３２０に書き込まれた無線装置（ＲＥ）２５０に対する制御データは、図５に示したように、ＣＰＲＩフレーム内のベンダー特有領域（Vendor Specific）を介して無線装置（ＲＥ）２５０に送信される。図５は、無線制御装置２１０と無線装置２５０との間のＣＰＲＩフレームの送受信を示す図である。無線制御装置（ＲＥＣ）２１０と無線装置（ＲＥ）２５０は、ユーザデータをＣＰＲＩフレーム５１０により送受信している。無線制御装置２１０が無線装置２５０に送信する無線装置２５０に対する制御データは、このＣＰＲＩフレーム５１０のコントロールワード５１１内にあるベンダー特有領域（Vendor Specific）に格納されて、無線制御装置２１０から無線装置２５０に送信される（ダウンリンク）。
【００２６】
また、後で説明するように、制御データに応じて無線装置２５０が無線制御装置２１０に返信するデータは、無線装置２５０から無線制御装置２１０に送信されるＣＰＲＩフレーム５１０のコントロールワード５１１内にあるベンダー特有領域（Vendor Specific）に格納されて送信される。
【００２７】
図６Ａは、ダウンリンクＣＰＲＩフレームのベンダー特有領域の構成を示す図である。ベンダー特有領域はＣＰＲＩフレームのサブチャネル１６〜２０にある。このうち、サブチャネル１６の最初の８ビット（Ｘｓ＝０）のうちの最初の１ビットにライト指示信号を格納する。また、サブチャネル１６の次の８ビット（Ｘｓ＝１）の最初の１ビットにリード指示信号を格納する。ライト指示信号及びリード指示信号については後で詳しく説明する。また、サブチャネル１７の２４ビット（Ｘｓ＝１〜３）には無線装置のレジスタ領域におけるオフセットアドレス（図３Ａ参照）を格納する。さらに、サブチャネル１８の３２ビット（Ｘｓ＝０〜３）には制御データ（ライトデータ）を格納する。ベンダー特有領域のその他の領域は未使用（Unused）である。
【００２８】
図６Ｂは、アップリンクＣＰＲＩフレームのベンダー特有領域の構成を示す図である。サブチャネル１６の最初の８ビット（Ｘｓ＝０）のうちの最初の１ビットにリード完了信号を格納する。また、サブチャンネル１８の３２ビット（Ｘｓ＝０〜３）には、制御データに応じて無線装置２５０が無線制御装置２１０に返信するデータ（リードデータ）が格納される。
【００２９】
図６Ａ、図６Ｂに示したベンダー特有領域の構成は単なる一例であって、他の実施形態では別の構成を採用してもよい。
【００３０】
次に、図７乃至図１０を参照して、無線制御装置と無線装置の間におけるＣＰＲＩフレームのベンダー特有領域を介したデータの送受信をさらに詳細に説明する。
【００３１】
図７は無線制御装置（ＲＥＣ）２１０から無線装置（ＲＥ）２５０への書き込み動作を示すシーケンス図である。以下、無線制御装置（ＲＥＣ）２１０が複数の無線装置（ＲＥ）２５０のうちのＲＥ＃０に書き込み動作を行うものと仮定する。言うまでもなく他の無線装置に書き込み動作を行う場合も同様である。
【００３２】
無線制御装置２１０のＣＰＵ２１１上で動作しているソフトウェアは、ＲＥＣ制御情報送受信部２１２に設けたページング用レジスタ（図３Ａの３２２参照）に無線装置（ＲＥ＃０）２５０に対応した値を設定する（ステップＳ１０）。これにより、無線装置（ＲＥ＃０）２５０を選択することができる。また、ＲＥＣ制御情報送受信部２１２に設けた無線装置のレジスタ領域（図３Ａの３２１参照）に、その無線装置（ＲＥ＃０）２５０に書き込むべき制御データを書き込む（ステップＳ１２）。これにより、この制御データは、以下に説明するように、無線装置（ＲＥ＃０）２５０のレジスタに直接的に（すなわちＣＰＵの介在なく）書き込まれることになる。
【００３３】
無線制御装置２１０のＲＥＣ制御情報送受信部２１２は、複数の無線装置にそれぞれ対応するＣＰＲＩ送信インターフェース２１３Ｄと接続されている。ＲＥＣ制御情報送受信部２１２は、ページング用レジスタ（図３Ａの３２２参照）の無線装置（ＲＥ）識別値をデコードして、対応するＣＰＲＩ送信インターフェース（CPRI TX INF）２１３Ｄ（この場合、無線装置ＲＥ＃０に対応するＣＰＲＩ送信インターフェース２１３Ｄ）を選択し、そのＣＰＲＩ送信インターフェース２１３Ｄに対して、無線装置のレジスタ領域のオフセットアドレス、書き込みデータ（ライトデータ）、及びライト指示信号を送り、ＣＰＲＩ送信インターフェース２１３Ｄが送信するＣＰＲＩ下りフレームのベンダー特有領域にマッピングする（ステップＳ１４）。
【００３４】
また、ＲＥＣ制御情報送受信部２１２は、ＣＰＵ２１１に、無線装置ＲＥ＃０のレジスタへの書き込み動作（ライトアクセス）が完了したことを通知するため、例えばＣＰＵバスに完了信号（ＡＣＫ）を出力する（ステップＳ１５）。
【００３５】
イネーブル信号を受け取ったＣＰＲＩ送信インターフェース２１３Ｄは、ＣＰＲＩ下りフレームのベンダー特有領域に、受け取ったオフセットアドレス、書き込みデータ、ライト指示信号を格納して送信する（ステップＳ１６）。
【００３６】
無線装置（ＲＥ＃０）２５０において、ＣＰＲＩ受信インターフェース２５３Ｄは、無線制御装置（ＲＥＣ）２１０から送信されたＣＰＲＩフレームのベンダー特有領域からオフセットアドレス、書き込みデータ、及びライト指示信号を取り出して（ドロップ）、ＲＥ制御情報送受信部２５２に送る（ステップＳ１８）。
【００３７】
ＲＥ制御情報送受信部２５２は、無線制御装置２１０から受け取ったデータにライト指示信号が含まれているので、それに応じてデバイス２５６のレジスタのオフセットアドレスに対応する領域に書き込みデータを書き込む（ステップＳ２０）。
【００３８】
このように、本実施形態による無線基地局２００は、無線制御装置（ＲＥＣ）２１０と複数の無線装置（ＲＥ＃０〜ＲＥ＃ｎ）２５０とをコモン・パブリック・ラジオ・インターフェース（ＣＰＲＩ）を用いたＣＰＲＩリンクで接続されている。無線制御装置２１０は、無線装置２５０に対する制御情報（書き込みデータ）と、それに付随するアドレス情報（書き込みデータのオフセットアドレス）とを、ＣＰＲＩフレーム内のベンダー特有領域（Vendor Specific）を介して送信する（ステップＳ１６）。また、無線装置２５０は、制御情報とアドレス情報とを、受信したＣＰＲＩフレームのベンダー特有領域から読み出して、アドレス情報に対応する記憶領域（レジスタ）に直接的に（すなわち、ＣＰＵ上で動作するソフトウェアによる制御を受けずに）書き込む（ステップＳ２０）ことができる。
【００３９】
無線装置への書き込み動作を説明した。次に、無線装置からの読み出し動作を説明する。
【００４０】
図８は無線制御装置（ＲＥＣ）２１０から無線装置（ＲＥ）２５０への読み出し動作を示すシーケンス図である。以下、無線制御装置（ＲＥＣ）２１０が複数の無線装置（ＲＥ）２５０のうちのＲＥ＃０に読み出し動作を行うものと仮定する。言うまでもなく他の無線装置に読み出し動作を行う場合も同様である。
【００４１】
無線制御装置２１０のＣＰＵ２１１上で動作しているソフトウェアは、ＲＥＣ制御情報送受信部２１２に設けたページング用レジスタ（図３Ａの３２２参照）に無線装置（ＲＥ＃０）２５０に対応した値を設定する（ステップＳ３０）。これにより、無線装置（ＲＥ＃０）２５０を選択することができる。また、ＲＥＣ制御情報送受信部２１２に、無線装置（ＲＥ＃０）の読み出すべきレジスタ領域のオフセットアドレスと、リード（read）指示信号とを送る（ステップＳ３２）。これにより、無線装置（ＲＥ＃０）２５０のレジスタ領域のそのオフセットアドレスに対応する領域を、直接的に、すなわちＣＰＵの介在なく、読み出すことができる。
【００４２】
無線制御装置２１０のＲＥＣ制御情報送受信部２１２は、ページング用レジスタ（図３Ａの３２２参照）の無線装置（ＲＥ）識別値をデコードして、対応するＣＰＲＩ送信インターフェース（CPRI TX INF）２１３Ｄ（この場合、無線装置ＲＥ＃０に対応するＣＰＲＩ送信インターフェース２１３Ｄ）を選択し、そのＣＰＲＩ送信インターフェース２１３Ｄに対して、無線装置のレジスタ領域のオフセットアドレス及びリード指示信号を送り、ＣＰＲＩ送信インターフェース２１３Ｄが送信するＣＰＲＩ下りフレームのベンダー特有領域にマッピングする（ステップＳ３４）。
【００４３】
読み出し動作の場合、ＲＥＣ制御情報送受信部２１２は、ＣＰＵ２１１に、無線装置ＲＥ＃０のレジスタから読み出し動作（リードアクセス）が完了するまで、ＣＰＵバスに完了信号（ＡＣＫ）は出力しない。
【００４４】
イネーブル信号を受け取ったＣＰＲＩ送信インターフェース２１３Ｄは、ＣＰＲＩ下りフレームのベンダー特有領域に、受け取ったオフセットアドレス及びリード指示信号を格納して送信する（ステップＳ３６）。
【００４５】
無線装置（ＲＥ＃０）２５０において、ＣＰＲＩ受信インターフェース２５３Ｄは、無線制御装置（ＲＥＣ）２１０から送信されたＣＰＲＩフレームのベンダー特有領域からオフセットアドレス及びリード指示信号を取り出して（ドロップ）、ＲＥ制御情報送受信部２５２に送る（ステップＳ３８）。
【００４６】
ＲＥ制御情報送受信部２５２は、無線制御装置２１０から受け取ったデータにリード指示信号が含まれているので、それに応じてデバイス２５６のレジスタのオフセットアドレスに対応する領域を読み出す（リードアクセス）（ステップＳ４０）。
【００４７】
デバイス２５６は、ＲＥ制御情報送受信部２５２からのリードアクセスに応じて、レジスタを読み出して（ステップＳ４２）、ＲＥ制御情報送受信部２５２にデータを返す。これでＲＥ制御情報送受信部２５２によるリードアクセスが完了する（ステップＳ４４）。
【００４８】
ＲＥ制御情報送受信部２５２は、デバイス２５６から受け取ったデータを、リード完了信号（図６Ｂ参照）とともにＣＰＲＩ送信インターフェース２５３Ｕに送り、ＣＰＲＩ送信インターフェース２５３Ｕが送信するＣＰＲＩ上りフレームのコントロールワードにあるベンダー特有領域にマッピングする（ステップＳ４６）。
【００４９】
ＣＰＲＩ送信インターフェース２５３Ｕは、フレームを無線制御装置（ＲＥＣ）２１０のＣＰＲＩ受信インターフェース２１３Ｕに送信するＣＰＲＩ上りフレームのベンダー特有領域に、ＲＥ制御情報送受信部２５２から受け取った読み出しデータと、リード完了信号とを格納して送信する（ステップＳ４８）。
【００５０】
無線制御装置（ＲＥＣ）２１０のＣＰＲＩ受信インターフェース２１３Ｕは、受信したＣＰＲＩ上りフレームのベンダー特有領域から、読み出しデータと、リード完了信号とを取り出し（ドロップ）、ＲＥＣ制御情報送受信部２１２に送る（ステップＳ５０）。
【００５１】
ＲＥＣ制御情報送受信部２１２は、ＣＰＵ２１１に、無線装置ＲＥ＃０のレジスタの読み出し動作（リードアクセス）が完了したことを通知するため、例えばＣＰＵバスに、受け取ったリードデータと、リード完了信号とを出力する（ステップＳ５２）。
【００５２】
このように、無線制御装置２１０は、無線装置２５０の記憶領域（デバイス２５６のレジスタ）のアドレス情報（オフセットアドレス）を第１のＣＰＲＩフレーム内のベンダー特有領域を介して無線装置２５０に送信する（図８のステップＳ３６）。また、無線装置２５０は、そのアドレス情報（オフセットアドレス）に対応する記憶領域（デバイス２５６のレジスタ）のデータを第２のＣＰＲＩフレーム内のベンダー特有領域を介して無線制御装置２１０に返信する（図８のステップＳ４８）ことができる。
【００５３】
また、無線制御装置２１０は、制御部（ＣＰＵ２１１）と制御情報送受信部（ＲＥＣ制御情報送受信部２１２）とを有し、制御部は、図３Ａを参照して説明したように、メモリマップドＩ／Ｏ方式で制御情報送受信部にアドレス情報を供給し（図８のステップＳ３２）、無線装置２５０から返信されたデータを受け取る（図８のステップＳ５２）ことができる。
【００５４】
無線装置からの読み出し動作を説明した。１つの無線制御装置（ＲＥＣ）２１０には複数の無線装置（ＲＥ）２５０が接続されるが、無線制御装置のソフトウェアにより複数の無線装置をすべて同様に制御する場合が多い。そこで、図４Ｂを参照して説明したように、すべての無線装置に同じ制御情報をブロードキャストできることが好ましい。
【００５５】
図９は、ブロードキャストによる書き込み動作を示すシーケンス図である。図９に示したブロードキャストによる書き込み動作は、図７に示したユニキャストによる書き込み動作と、ステップＳ１０Ａ及びＳ１４Ａ（それぞれ図７のステップＳ１０及びＳ１４に対応する）において異なる。
【００５６】
ステップＳ１０Ａにおいて、無線制御装置２１０のＣＰＵ２１１上で動作しているソフトウェアは、ＲＥＣ制御情報送受信部２１２に設けたページング用レジスタ（図３Ａの３２２参照）にブロードキャストに対応した値を設定する（図４Ｂ参照）。
【００５７】
また、ステップＳ１４Ａにおいて、無線制御装置２１０のＲＥＣ制御情報送受信部２１２は、すべてのＣＰＲＩ送信インターフェース２１３Ｄに、無線装置のレジスタ領域のオフセットアドレス、書き込みデータ（ライトデータ）、及びライト指示信号を送る。また、ＲＥＣ制御情報送受信部２１２は、ページング用レジスタ（図３Ａの３２２参照）の無線装置（ＲＥ）識別値をデコードして、それがブロードキャストに対応する値であると、すべてのＣＰＲＩ送信インターフェース（CPRI TX INF）２１３Ｄを選択し、イネーブル信号（半導体装置のチップイネーブル信号に相当する信号）を送る。このイネーブル信号により、すべてのＣＰＲＩ送信インターフェース２１３Ｄがオフセットアドレス、書き込みデータ、及びライト指示信号を受け取る。
【００５８】
その他のステップは、図７に示したステップと同様である。
【００５９】
さて、図８で無線装置からの読み出し動作を説明したが、図８の構成では、無線制御装置のソフトウェアは、
無線装置からリードデータとリード完了信号が返信されるまで待機していることとなる。しかし、無線装置の故障など何らかの原因で無線装置からリードデータとリード完了信号が返信されない場合、無線制御装置のソフトウェアは待機し続けてしまう。そこで、この待機状態を強制的に終了させる仕組みを組み込むことが好ましい。
【００６０】
図１０は、リードアクセス異常時の強制終了を示すシーケンス図である。
【００６１】
図１０において、ＲＥＣ制御情報送受信部２１２は、ＣＰＲＩ送信インターフェース２１３Ｄにオフセットアドレスとリード指示信号とを送る（ステップＳ３４）と、タイマーを始動する（ステップＳ３５）。
【００６２】
ここで、オフセットアドレス及びリード指示信号は図８を参照して説明したように無線装置（ＲＥ＃０）に送信され、デバイス２５６からオフセットアドレスに対応する領域のデータ（リードデータ）が読み出されたが（ステップＳ４２）、何らかの原因でそのリードデータがＲＥ制御情報送受信部２５２に返されなかった（ステップＳ４４Ｂ）ものと仮定する。
【００６３】
ＲＥＣ制御情報送受信部２１２は、ステップＳ３５で始動したタイマーがタイムアップしてもＣＰＲＩ受信インターフェース２１３Ｕからリードデータとリード完了信号を受け取らない場合、ＣＰＵ２１１に対して、無線装置（ＲＥ＃０）２５０のレジスタへの読み出し動作（リードアクセス）を強制終了したことを通知する（ステップＳ５２Ｂ）。
【００６４】
その他のステップは、図８に示したステップと同様である。
【００６５】
無線装置（ＲＥ）は、一般的に無線制御装置（ＲＥＣ）に対して遠隔地に配置されるため、小型化、省電力化、及び低コスト化が求められる装置である。本実施形態により、無線装置（ＲＥ）に従来搭載されていたＣＰＵ及びそれに付随するメモリを削減でき、回路的に簡略化できる。その結果、無線装置（ＲＥ）を小型化、省電力化、及び低コスト化することができる。また、無線制御装置（ＲＥＣ）が無線装置（ＲＥ）に対して直接的に、すなわち無線装置（ＲＥ）のＣＰＵを介さずにアクセスできるため、無線制御装置と無線装置との間の通信の輻輳を回避でき、無線装置（ＲＥ）の制御を高速化することができる。
【００６６】
次に、図２に示した基地局装置における各構成要素間で送受信される信号を図１１乃至図１３を参照して説明する。
【００６７】
図１１は、図２の基地局装置における各構成要素間の信号を示す図である。無線制御装置２１０において、ＣＰＵ２１１は、無線制御装置２１０の制御部として、無線制御装置２１０の各構成要素を制御するとともに、無線制御装置２１０とコモン・パブリック・ラジオ・インターフェースを用いたＣＰＲＩリンクで接続された、複数の無線装置（例えば、図１１の無線装置（ＲＥ＃０）２５０）を制御する。複数の無線装置の制御は、メモリマップドＩ／Ｏ方式で行うことができる。
【００６８】
無線制御装置（ＲＥＣ）２１０のＣＰＵ２１１は、無線装置（ＲＥ＃０）のデバイス２５６に制御データを書き込むために、ＣＰＵバス２２０に、アドレス信号、チップセレクト（ＣＳ）信号、ライトイネーブル（ＷＥ）信号、及びライトデータを出力する。また、ＣＰＵ２１１は、ＲＥＣ制御情報送受信部２１２から書き込み動作が完了したことを示すレディ（ＲＤＹ）信号を、ＣＰＵバス２２０を介して受け取る。
【００６９】
また、無線制御装置（ＲＥＣ）２１０のＣＰＵ２１１は、無線装置（ＲＥ＃０）のデバイス２５６からデータを読み出すために、ＣＰＵバス２２０に、アドレス信号、チップセレクト（ＣＳ）信号、アウトプットイネーブル（ＯＥ）信号を出力する。また、ＣＰＵ２１１は、ＲＥＣ制御情報送受信部２１２から、デバイス２５６から読み出されたデータ（リードデータ）をＣＰＵバス２２０を介して受け取る。
【００７０】
ＲＥＣ制御情報送受信部２１２は、複数のＣＰＲＩ送信インターフェース２１３Ｄと接続されている。ＲＥＣ制御情報送受信部２１２は、図７（ステップＳ１４）と図８（ステップＳ３４）を参照して説明したように、選択されたＣＰＲＩ送信インターフェース２１３Ｄに、書き込み動作の場合は、オフセットアドレス、ライトデータ、及びライト指示信号（Ｗビット）を送信し、読み出し動作の場合は、オフセットアドレス、及びリード指示信号（Ｒビット）を送信する。
【００７１】
また、ＲＥＣ制御情報送受信部２１２は、複数のＣＰＲＩ受信インターフェース２１３Ｕと接続されている。ＲＥＣ制御情報送受信部２１２は、図８（ステップＳ５０）を参照して説明したように、読み出し動作の場合、選択されたＣＰＲＩ受信インターフェース２１３Ｕからリードデータ、及びリードデータ完了信号（Ｃビット）を受信する。
【００７２】
ＣＰＲＩ送信インターフェース２１３ＤとＣＰＲＩ受信インターフェース２１３Ｕは、対応する無線装置（ＲＥ０〜ｎ）２５０のＣＰＲＩ受信インターフェース２５３ＤとＣＰＲＩ送信インターフェース２５３Ｕにそれぞれ接続されている。
【００７３】
ＣＰＲＩ送信インターフェース２１３Ｄは、書き込み動作の場合、ＲＥＣ制御情報送受信部２１２から受信したオフセットアドレス、ライトデータ、及びライト指示信号をＣＰＲＩ下りフレームのコントロールワードのベンダー特有領域（Vendor Specific）に格納して、対応する無線装置（ＲＥ）２５０のＣＰＲＩ受信インターフェース２５３Ｄに送信する。
【００７４】
一方、ＣＰＲＩ受信インターフェース２１３Ｕは、読み出し動作の場合、対応する無線装置（ＲＥ）２５０のＣＰＲＩ送信インターフェース２５３Ｕから受信したＣＰＲＩ上りフレームのコントロールワードのベンダー特有領域に格納されたリードデータとリードデータ完了信号（Ｃビット）を取り出し、ＲＥＣ制御情報送受信部２１２に送信する。
【００７５】
一方、無線装置（ＲＥ＃０）２５０において、ＣＰＲＩ受信インターフェース２５３Ｄは、無線制御装置（ＲＥＣ）２１０から受信したＣＰＲＩ下りフレームから、書き込み動作の場合、オフセットアドレス、ライトデータ、及びライト指示信号（Ｗビット）を取り出して、ＲＥ制御情報送受信部２５２に送信する。また、読み出し動作の場合、オフセットアドレス、及びリード指示信号（Ｒビット）を取り出して、ＲＥ制御情報送受信部２５２に送信する。
【００７６】
また、ＣＰＲＩ送信インターフェース２５３Ｕは、読み出し動作の場合、ＲＥ制御情報送受信部２５２からリードデータ、リードデータ完了信号（Ｃビット）を受け取り、ＣＰＲＩ上りフレームのコントロールワードの番ダー特有領域に格納して、無線制御装置２１０に送信する。
【００７７】
ＲＥ制御情報送受信部２５２は、書き込み動作の場合、ＣＰＲＩ受信インターフェース２５３Ｄからオフセットアドレス、ライトデータ、ライト指示信号（Ｗビット）を受け取り、デバイス２５６のオフセットアドレスで指定されたレジスタ領域にライトデータを書き込むために、アドレス信号、チップセレクト（ＣＳ）信号、ライトイネーブル（ＷＥ）信号、及びデータをバス２６０に出力する。
【００７８】
ＲＥ制御情報送受信部２５２は、読み出し動作の場合、ＣＰＲＩ受信インターフェース２５３Ｄからオフセットアドレス、及びリード指示信号（Ｒビット）を受け取り、デバイス２５６のオフセットアドレスで指定されたレジスタ領域からリードデータを読み出すために、アドレス信号、チップセレクト（ＣＳ）信号、アウトプットイネーブル（ＯＥ）信号をバス２６０に出力し、デバイス２５６が出力したデータ（リードデータ）を受け取る。
【００７９】
図１２は、無線制御装置のＲＥＣ制御情報送受信部２１２を示すブロック図である。
【００８０】
書き込み動作の場合、ＣＰＵバスインターフェース１２０１は、ＣＰＵバス２２０から、アドレス信号、チップセレクト（ＣＳ）信号、ライトイネーブル（ＷＥ）信号、データ（ライトデータ）を受け取り、送信制御部１２０２Ｔに、アドレス信号、ライトイネーブル（ＷＥ）信号、及びライトデータを送る。
【００８１】
送信制御部１２０２Ｔは、これらの信号を受け取り、オフセットアドレス、ライトデータ、及びライト指示信号を含むＣＰＲＩフレームを形成し、送信ポート選択部１２０３Ｔに送る。
【００８２】
一方、ページングレジスタ１２１１は、事前にＣＰＵ２１１から供給されたページング値（無線装置（ＲＥ）識別値）を記憶している。
【００８３】
送受信ポート判定部１２１２は、ページングレジスタ１２１１からページング値を読み出して、選択された無線装置（ＲＥ）２５０に対応した送信ポートを選択するポート選択信号を、送信ポート選択部１２０３Ｔに送る。
【００８４】
送信ポート選択部は、送受信ポート判定部１２１２からのポート選択信号に基づいて、選択された無線装置（ＲＥ）２５０が接続されているＣＰＲＩ送信インターフェース２１３Ｄに、オフセットアドレス、ライトデータ、及びライト指示信号を含むＣＰＲＩフレームを送る。
【００８５】
読み出し動作の場合、ＣＰＵバスインターフェース１２０１は、ＣＰＵバス２２０から、アドレス信号、チップセレクト（ＣＳ）信号、及びアウトプットイネーブル（ＯＥ）信号を受け取り、送信制御部１２０２Ｔに、アドレス信号、及びアウトプットイネーブル（ＯＥ）信号を送る。
【００８６】
送信制御部１２０２Ｔは、これらの信号を受け取り、オフセットアドレス、及びリード指示信号を含むＣＰＲＩフレームを形成し、送信ポート選択部１２０３Ｔに送る。
【００８７】
一方、ページングレジスタ１２１１は、事前にＣＰＵ２１１から供給されたページング値（無線装置（ＲＥ）識別値）を記憶している。
【００８８】
送受信ポート判定部１２１２は、ページングレジスタ１２１１からページング値を読み出して、選択された無線装置（ＲＥ）２５０に対応した送信ポートを選択するポート選択信号を、送信ポート選択部１２０３Ｔに送る。
【００８９】
送信ポート選択部は、送受信ポート判定部１２１２からのポート選択信号に基づいて、選択された無線装置（ＲＥ）２５０が接続されているＣＰＲＩ送信インターフェース２１３Ｄに、オフセットアドレス、及びリード指示信号を含むＣＰＲＩフレームを送る。
【００９０】
一方、受信ポート選択部１２０３Ｒは、送信ポート選択部１２０３Ｔと同様に、送受信ポート判定部１２１２からのポート選択信号で選択されたＣＰＲＩ受信インターフェース２１３Ｕから、リードデータ、及びリードデータ完了信号を含むＣＰＲＩ上りフレームを受け取り、受信制御部１２０２Ｒに送る。
【００９１】
受信制御部１２０２Ｒは、ＣＰＲＩ上りフレームにリードデータ完了信号が含まれているので、そのＣＰＲＩ上りフレームからリードデータを取り出し、ＣＰＵバスインターフェース１２０１に送る。
【００９２】
ＣＰＵバスインターフェース１２０１は、無線制御装置２１０のＣＰＵ２１１に無線装置２５０のデバイス２５６からのデータ（リードデータ）の読み出しが終わったことを通知するため、リードデータ、及びレディ（ＲＤＹ）信号をＣＰＵバス２２０に出力する。
【００９３】
図１３は、無線装置のＲＥ制御情報送受信部２５２を示すブロック図である。
【００９４】
書き込み動作の場合、送信制御部１３０１Ｒは、ＣＰＲＩ受信インターフェース２５３Ｄから、オフセットアドレス、ライトデータ、及びライト指示信号を受け取り、これらを変換して、バスインターフェース１３０２に、オフセットアドレス、ライトイネーブル（ＷＥ）信号、ライトデータを送る。
【００９５】
バスインターフェース１３０２は、送信制御部１３０１Ｒからのオフセットアドレス、ライトイネーブル（ＷＥ）信号、ライトデータを受けて、バス２６０にアドレス、チップイネーブル信号、ライトイネーブル信号、及びライトデータを出力することにより、そのライトデータをデバイス２５６のアドレス領域に書き込む。
【００９６】
一方、読み出し動作の場合、受信制御部１３０１Ｒは、ＣＰＲＩ受信インターフェース２５３Ｄから、オフセットアドレス、及びリード指示信号を受け取り、これらを変換して、バスインターフェース１３０２に、オフセットアドレス、及びアウトプットイネーブル（ＯＥ）信号を送る。
【００９７】
バスインターフェース１３０２は、受信制御部１３０１Ｒからのオフセットアドレス、及びアウトプットイネーブル（ＯＥ）信号を受けて、バス２６０にアドレス、チップイネーブル信号、及びアウトプットイネーブル信号を出力することにより、デバイス２５６のアドレス領域からデータ（リードデータ）を読み出す。
【００９８】
バスインターフェース１３０２は、読み出したリードデータを送信制御部１３０１Ｔに送る。
【００９９】
送信制御部は、デバイス２５６から読み出しを完了したことを示すリードデータ完了信号とともに、リードデータをＣＰＲＩ送信インターフェース２５３Ｕに送る。
【０１００】
次に、図１１乃至図１３を参照して説明した各信号のタイミングを説明する。
【０１０１】
図１４は、書き込み動作を示すタイミング図である。書き込み動作では、無線制御装置（ＲＥＣ）２１０において、制御情報送受信部２１２からのオフセットアドレス、ライトデータ、ライト指示信号は、ＣＰＲＩ送信インターフェース２１３ＤにおいてＣＰＲＩ下りフレームｎ＋１のベンダー特有領域に載せられて、無線装置（ＲＥ）２５０に送られる。
【０１０２】
また、無線装置（ＲＥ）２５０において、ＣＰＲＩ受信インターフェース２５３ＤによってＣＰＲＩ下りフレームｎ＋１からオフセットアドレス、ライトデータ、ライト指示信号が取り出される。
【０１０３】
これにより、無線制御装置（ＲＥＣ）２１０側のオフセットアドレス、ライトデータ、ライト指示信号がそのまま無線装置（ＲＥ）２５０で再生される。したがって、無線制御装置（ＲＥＣ）２１０のＣＰＵ２１１は、無線装置（ＲＥ）２５０のデバイス２５６に、直接的に、すなわち無線装置（ＲＥ２５０）にＣＰＵを設けることなく、制御情報を書き込むことができる。
【０１０４】
図１５は、読み出し動作を示すタイミング図である。読み出し動作では、無線制御装置（ＲＥＣ）２１０において、制御情報送受信部２１２からのオフセットアドレス、リード指示信号は、ＣＰＲＩ送信インターフェース２１３ＤにおいてＣＰＲＩ下りフレームｎ＋１のベンダー特有領域に載せられて、無線装置（ＲＥ）２５０に送られる。
【０１０５】
また、無線装置（ＲＥ）２５０において、ＣＰＲＩ受信インターフェース２５３ＤによってＣＰＲＩ下りフレームｎ＋１からオフセットアドレス、及びリード指示信号が取り出される。
【０１０６】
これにより、無線制御装置（ＲＥＣ）２１０側のオフセットアドレス、及びリード指示信号がそのまま無線装置（ＲＥ）２５０で再生される。したがって、無線制御装置（ＲＥＣ）２１０のＣＰＵ２１１は、無線装置（ＲＥ）２５０のデバイス２５６から、直接的に、すなわち無線装置（ＲＥ２５０）にＣＰＵを設けることなく、データを読み出すことができる。
【０１０７】
読み出されたリードデータは、リードデータ完了信号とともに、ＣＰＲＩ送信インターフェース２５３ＵによりＣＰＲＩ上りフレームｎのベンダー特有領域に載せられて無線制御装置（ＲＥＣ）２１０に送られる。
【０１０８】
また、無線制御装置（ＲＥＣ）２１０において、ＣＰＲＩ受信インターフェース２１３ＵによってＣＰＲＩ上りフレームからリードデータ及びリードデータ完了信号が取り出される。したがって、無線制御装置（ＲＥＣ）２１０のＣＰＵ２１１は、無線装置（ＲＥ）２５０のデバイス２５６から、直接的に、すなわち無線装置（ＲＥ２５０）にＣＰＵを設けることなく、データを読み出すことができる。
【０１０９】
以上、本発明の実施の形態について詳述したが、本発明は特有の実施形態に限定されるものではなく、特許請求の範囲に記載された本発明の要旨の範囲内において、種々の変形及び変更が可能である。
【０１１０】
以上の実施形態に関し、さらに以下の付記を開示する。
（付記１）
無線制御装置と複数の無線装置とを所定のインターフェースを用いたリンクで接続した無線基地局において、
前記無線制御装置は、前記無線装置に対する制御情報と、付随するアドレス情報とをフレーム内のベンダー特有領域を介して送信し、
前記無線装置は、前記制御情報とアドレス情報とを、受信した前記フレームの前記ベンダー特有領域から読み出して、前記アドレス情報に対応する記憶領域に直接的に書き込む無線基地局。
（付記２）
前記所定のインターフェースは、コモン・パブリック・ラジオ・インターフェースであることを特徴とする請求項１に記載の無線基地局。
（付記３）
前記無線制御装置は、制御部と制御情報送受信部とを有し、
前記制御部はメモリマップドＩ／Ｏ方式で前記制御情報送受信部に前記制御情報と前記アドレス情報とを供給する、付記１または２に記載の無線基地局。
（付記４）
前記無線制御装置は、前記メモリマップドＩ／Ｏ方式のメモリ空間にページング領域を有し、前記ページング領域の値に対応する無線装置に前記フレームを送信する、付記３に記載の無線基地局。
（付記５）
前記無線制御装置は、前記ページング領域の所定の値に応じて、接続されているすべての無線装置に前記フレームを送信する、付記４に記載の無線基地局。
（付記６）
前記無線制御装置は、前記無線装置の前記記憶領域のアドレス情報を第１のフレーム内のベンダー特有領域を介して前記無線装置に送信し、
前記無線装置は、前記アドレス情報に対応する記憶領域のデータを第２のフレーム内のベンダー特有領域を介して前記無線制御装置に返信する、付記１に記載の無線基地局。
（付記７）
前記無線制御装置は、制御部と制御情報送受信部とを有し、
前記制御部はメモリマップドＩ／Ｏ方式で前記制御情報送受信部に前記アドレス情報を供給し、前記無線装置から返信された前記データを受け取る、付記６に記載の無線基地局。
（付記８）
複数の無線装置と所定のインターフェースを用いたリンクで接続された無線制御装置であって、
前記無線装置に対する制御情報と、付随するアドレス情報とをフレーム内のベンダー特有領域を介して送信する制御情報送受信部を有する無線制御装置。
（付記９）
無線制御装置と所定のインターフェースを用いたリンクで接続された無線装置であって、
制御データを格納する記憶領域と、
前記無線制御装置がフレーム内のベンダー特有領域を介して送信した制御情報と、付随するアドレス情報とを、受信した前記フレームの前記ベンダー特有領域から読み出し、前記アドレス情報に対応する記憶領域に直接的に書き込む制御情報送受信部とを有する無線装置。
（付記１０）
無線制御装置が、所定のインターフェースを用いたリンクで接続された複数の無線装置を制御する制御方法であって、
前記無線制御装置が、前記無線装置に対する制御情報と、付随するアドレス情報とをフレーム内のベンダー特有領域を介して送信する段階と、
前記無線装置が、前記制御情報とアドレス情報とを、受信した前記フレームの前記ベンダー特有領域から読み出して、前記アドレス情報に対応する記憶領域に直接的に書き込む段階とを含む制御方法。
【図面の簡単な説明】
【０１１１】
【図１】従来の基地局装置を示すブロック図である。
【図２】一実施形態による基地局装置を示すブロック図である。
【図３Ａ】無線制御装置においてメモリ空間に展開された無線装置のレジスタ領域を示すメモリ構成図である。
【図３Ｂ】図３Ａのページング用レジスタのビット構成を示す図である。
【図４Ａ】ユニキャスト時のページング用レジスタを説明するための図である。
【図４Ｂ】ブロードキャスト時のページング用レジスタを説明するための図である。
【図５】無線制御装置と無線装置との間のＣＰＲＩフレームの送受信を示す図である。
【図６Ａ】ダウンリンクＣＰＲＩフレームのベンダー特有領域の構成を示す図である。
【図６Ｂ】アップリンクＣＰＲＩフレームのベンダー特有領域の構成を示す図である。
【図７】無線制御装置から無線装置への書き込み動作を示すシーケンス図である。
【図８】無線制御装置から無線装置への読み出し動作を示すシーケンス図である。
【図９】ブロードキャストによる書き込み動作を示すシーケンス図である。
【図１０】リードアクセス異常時の強制終了を示すシーケンス図である。
【図１１】図２の基地局装置における各構成要素間の信号を示す図である。
【図１２】無線制御装置のＲＥＣ制御情報送受信部を示すブロック図である。
【図１３】無線装置のＲＥ制御情報送受信部を示すブロック図である。
【図１４】書き込み動作を示すタイミング図である。
【図１５】読み出し動作を示すタイミング図である。
【符号の説明】
【０１１２】
２００  無線基地局
２１０  無線制御装置（ＲＥＣ）
２１１  ＣＰＵ
２１２  ＲＥＣ制御情報送受信部
２１３Ｄ  ＣＰＲＩ送信インターフェース
２１３Ｕ  ＣＰＲＩ受信インターフェース
２１４  制御データ処理部
２１５  ユーザデータ処理部
２１６  その他デバイス
２２０  ＣＰＵバス
２５０  無線装置（ＲＥ）
２５２  ＲＥ制御情報送受信部
２５３Ｄ  ＣＰＲＩ受信インターフェース
２５３Ｕ  ＣＰＲＩ送信インターフェース
２５６  その他デバイス
２５７  ＡＭＰインターフェース
２６０  バス
２７０  ＡＭＰ
２８０  アンテナ
１２０１  ＣＰＵバスインターフェース
１２０２Ｔ  送信制御部
１２０２Ｒ  受信制御部
１２０３Ｔ  送信ポート選択
１２０３Ｒ  受信ポート選択
１２１１  ページング用レジスタ
１２１２  送受信ポート判定部
１３０１Ｒ  受信制御部
１３０１Ｔ  送信制御部
１３０２  バスインターフェース
【図１】
2010130162.tif 000003
【図２】
2010130162.tif 000004
【図３Ａ】
2010130162.tif 000005
【図３Ｂ】
2010130162.tif 000006
【図４Ａ】
2010130162.tif 000007
【図４Ｂ】
2010130162.tif 000008
【図５】
2010130162.tif 000009
【図６Ａ】
2010130162.tif 000010
【図６Ｂ】
2010130162.tif 000011
【図７】
2010130162.tif 000012
【図８】
2010130162.tif 000013
【図９】
2010130162.tif 000014
【図１０】
2010130162.tif 000015
【図１１】
2010130162.tif 000016
【図１２】
2010130162.tif 000017
【図１３】
2010130162.tif 000018
【図１４】
2010130162.tif 000019
【図１５】
2010130162.tif 000020